(57)【要約】【課題】針刺し事故を防ぎ、永久に再使用不能にされた安全注射器を提供する。【解決手段】ガイド、及びガイドに沿って摺動するように構成された第１の部分と尖った針先を内部に覆うことを容易にする針のための構造を有する第２の部分とを有する摺動可能部材を含む、注射針のための安全装置。また、１つ又はそれ以上のフォロアを有する第１の部分と、ガイドを収納する第２の部分とを有するプランジャを含む再使用不能注射器。【選択図】図１２
2005501665.tif 000002
【特許請求の範囲】
【請求項１】
ガイドと、
前記ガイドに沿って摺動するように構成された第１の部分と、尖った針先を内部に覆うことを容易にする針のための構造を備えた第２の部分とを有する摺動可能部材と、
を含むことを特徴とする、注射針のための安全装置。
【請求項２】
前記ガイドは、注射器の外筒の成形された一体部分であることを特徴とする請求項１に記載の安全装置。
【請求項３】
前記ガイドは、注射器の外筒に装着されることを特徴とする請求項１に記載の安全装置。
【請求項４】
前記ガイドは、近位端及び遠位端を有し、
前記近位端は、前記摺動可能部材が該近位端において前記ガイドから外れることを防ぐ末端ブロックと、該摺動可能部材の第１の部分を受ける斜角セグメントと、針先と係合する前の該摺動可能部材の一時的な配置を容易にする面取りセグメントとによって形成される、
ことを特徴とする請求項１から請求項３のいずれか１項に記載の安全装置。
【請求項５】
前記ガイドの前記遠位端は、使用時に前記摺動可能部材の前記第１の部分上の対応するセグメントに係合し、それによって該摺動可能部材を引き込み不能位置に固定する、遠位に整列した鋸歯のセグメントによって形成されることを特徴とする請求項１から請求項４のいずれか１項に記載の安全装置。
【請求項６】
前記摺動可能部材の前記第１の部分は、ブラケット及びシャフトから成ることを特徴とする請求項１から請求項５のいずれか１項に記載の安全装置。
【請求項７】
前記第１の部分の前記ブラケットは、前記ガイドの前記斜角セグメント上にスナップ・クリック式に留まるように構成されることを特徴とする請求項６に記載の安全装置。
【請求項８】
前記摺動可能部材の前記ブラケットは、前記ガイド上の鋸歯と遠位に固定され、そうすることによって使用時に該摺動可能部材が近位に引っ込まれることを防ぐうに補完的に切り込まれた内側リップを有することを特徴とする請求項６又は請求項７のいずれか１項に記載の安全装置。
【請求項９】
前記摺動可能部材の前記シャフトは、弾力的に変形可能であり、前記注射器の外筒から離れるように付勢されることを特徴とする請求項６から請求項８のいずれか１項に記載の安全装置。
【請求項１０】
前記摺動可能部材の前記第２の部分は、針先を覆うことを容易にするキャップであることを特徴とする請求項１から請求項９のいずれか１項に記載の安全装置。
【請求項１１】
前記摺動可能部材の前記第２の部分は、偏心開口及び閉鎖セグメントから成ることを特徴とする請求項１から請求項１０のいずれか１項に記載の安全装置。
【請求項１２】
前記第１の部分の前記弾力的変形可能シャフトは、前記開口を針先から離れるように付勢させ、そうすることによって前記閉鎖セグメントが針先の上に残るようにすることを特徴とする請求項９、請求項１０、又は請求項１１のいずれか１項に記載の安全装置。
【請求項１３】
前記針は、取外し不能であることを特徴とする請求項１から請求項１２のいずれか１項に記載の注射器のための安全装置。
【請求項１４】
前記針は、前記注射器の一体部分であることを特徴とする請求項１から請求項１３のいずれか１項に記載の注射器のための安全装置。
【請求項１５】
実質的に本明細書で説明されて示されたような請求項１に記載の装置。
【請求項１６】
実質的に本明細書で説明されて示されたような新たな装置。
【請求項１７】
請求項１から請求項１６のいずれか１項に記載の安全装置のためのガイド。
【請求項１８】
請求項１から請求項１７のいずれか１項に記載の安全装置のための摺動可能部材。
【請求項１９】
１つ又はそれ以上のフォロアを有する第１の部分と、ガイドを収納する第２の部分とを有するプランジャ、
を含むことを特徴とする再使用不能注射器。
【請求項２０】
前記プランジャの端部に装着された密封プラグを含むことを特徴とする請求項１９に記載の注射器。
【請求項２１】
前記プランジャの前記第２の部分は、２つの部材を含み、第１の部材は、前記ガイドを収納し、第２の部材は、前記密封プラグと連結するようになっていることを特徴とする請求項１９又は請求項２０のいずれか１項に記載の注射器。
【請求項２２】
前記ガイドは、Ｍ形に誘導されたガイドであり、
前記ガイドは、第１、第２、第３、及び第４の脚部を含み、前記第１及び第２の脚部の間に第１の頂点、前記第２及び第３の脚部の間に第２の頂点、及び、前記第３及び第４の脚部の間に第３の頂点を有する、
ことを特徴とする請求項１９から請求項２１のいずれか１項に記載のプランジャ。
【請求項２３】
前記フォロアの一方向進路を促すための手段が、前記第１、第２、及び第３の頂点内に配置されることを特徴とする請求項２２に記載のガイド。
【請求項２４】
先行脚部内への再入を防ぐ段の付いた傾斜を有する圧縮可能成形突出部の形態であることを特徴とする請求項２３に記載の一方向進路を促すための手段。
【請求項２５】
前記Ｍ型ガイドの前記第１の脚部は、前記プランジャが前記注射器内で前へ押される時に前記フォロアを受けることを特徴とする請求項２２から請求項２４のいずれか１項に記載のガイド。
【請求項２６】
前記Ｍ型ガイドの前記第２の頂点は、該Ｍ型ガイドの前記第２の脚部に向う経路を促すように構成されることを特徴とする請求項２２から請求項２５のいずれか１項に記載のガイド。
【請求項２７】
前記Ｍ型ガイドの前記第２の脚部は、前記プランジャが前記注射器の針先から引き離される時に前記フォロアを受けることを特徴とする請求項２２から請求項２６のいずれか１項に記載のガイド。
【請求項２８】
前記第２の頂点は、前記Ｍ型ガイドの前記第３の脚部に向う経路を促すように構成されることを特徴とする請求項２２から請求項２７のいずれか１項に記載のガイド。
【請求項２９】
前記Ｍ型ガイドの前記第３の脚部は、前記プランジャが前記注射器の針先に向って押される時に前記フォロアを受けることを特徴とする請求項２２から請求項２８のいずれか１項に記載のガイド。
【請求項３０】
前記第３の頂点は、前記Ｍ型ガイドの前記第４の脚部に向う経路を促すことを特徴とする請求項２２から請求項２９のいずれか１項に記載のガイド。
【請求項３１】
前記Ｍ型ガイドの前記第４の脚部は、前記プランジャが前記注射器の針先から引き戻される時にフォロアを受けることを特徴とする請求項２２から請求項３０のいずれか１項に記載のガイド。
【請求項３２】
前記Ｍ型ガイドの前記第４の脚部は、前記プランジャの外部と連通し、そうすることによって前記フォロアは、該Ｍ型ガイドから摺動して出ることができ、それによって前記プランジャの前記第１の部分を前記プランジャの前記第２の部分から外し、該第２の部分を前記注射器の針先に残るようにすることを特徴とする請求項２０から請求項３１のいずれか１項に記載のガイド。
【請求項３３】
前記ガイドは、Ｚ型であり、
前記ガイドはまた、第１、第２、及び第３の脚部を含み、前記第１及び第２の脚部の間に第１の頂点があり、前記第２及び第３の脚部の間に第２の頂点がある、
ことを特徴とする請求項１９から請求項２１のいずれか１項に記載のプランジャ。
【請求項３４】
前記フォロアの一方向進路を促すための手段が、前記第１及び第２の頂点内に配置されることを特徴とする請求項３３に記載のガイド。
【請求項３５】
先行脚部内への再入を防ぐ段の付いた傾斜を有する圧縮可能成形突出部の形態であることを特徴とする請求項３４に記載の一方向進路を促すための手段。
【請求項３６】
前記Ｚ型の前記第１の脚部は、前記プランジャが前記注射器の針先から引き離される時に前記フォロアを受けることを特徴とする請求項３３から請求項３５のいずれか１項に記載のガイド。
【請求項３７】
前記第１の頂点は、前記Ｚ型の前記第２の脚部に向う経路を促すように構成されることを特徴とする請求項３３から請求項３６のいずれか１項に記載のガイド。
【請求項３８】
前記Ｚ型の前記第２の脚部は、前記プランジャが前記注射器の針先に向かって押される時に前記フォロアを受けることを特徴とする請求項３３から請求項３７のいずれか１項に記載のガイド。
【請求項３９】
前記第２の頂点は、前記Ｚ型の前記第３の脚部に向う経路を促すことを特徴とする請求項３３から請求項３８のいずれか１項に記載のガイド。
【請求項４０】
前記Ｚ型の前記第３の脚部は、前記プランジャが前記注射器の針先から引き戻される時に前記フォロアを受けることを特徴とする請求項３３から請求項３９のいずれか１項に記載のガイド。
【請求項４１】
前記Ｚ型の前記第３の脚部は、前記プランジャの外部と連通し、そうすることによって前記フォロアは、該Ｚ型ガイドを摺動して出ることができ、それによって前記プランジャの前記第１の部分を前記プランジャの前記第２の部分から外し、該第２の部分が前記注射器の針先に残るようにすることを特徴とする請求項３３から請求項４０のいずれか１項に記載のガイド。
【請求項４２】
前記ガイドは、Ｖ型であり、
前記ガイドはまた、第１及び第２の脚部を含み、前記第１及び第２の脚部の間に頂点がある、
ことを特徴とする請求項１９から請求項２１のいずれか１項に記載のプランジャ。
【請求項４３】
前記フォロアの一方向進路を促すための手段が、前記頂点内に配置されることを特徴とする請求項４２に記載のガイド。
【請求項４４】
先行脚部内への再入を防ぐ段の付いた傾斜を有する圧縮可能成形突出部の形態であることを特徴とする請求項４３に記載の一方向進路を促すための手段。
【請求項４５】
前記Ｖ型の前記第１の脚部は、前記プランジャが前記注射器の針先に向かって押される時に前記フォロアを受けることを特徴とする請求項４２から請求項４４のいずれか１項に記載のガイド。
【請求項４６】
前記頂点は、前記Ｖ型の前記第２の脚部に向う経路を促すように構成されることを特徴とする請求項４２から請求項４５のいずれか１項に記載のガイド。
【請求項４７】
前記Ｖ型の前記第２の脚部は、前記プランジャが前記注射器の針先から引き離される時に前記フォロアを受けることを特徴とする請求項４２から請求項４６のいずれか１項に記載のガイド。
【請求項４８】
前記Ｖ型の前記第２の脚部は、前記プランジャの外部と連通し、そうすることによって前記フォロアは、該Ｖ型ガイドから摺動して出ることができ、それによって前記プランジャの前記第１の部分を前記プランジャの前記第２の部分から外し、該第２の部分が前記注射器の針先に残るようにすることを特徴とする請求項４２から請求項４７のいずれか１項に記載のガイド。
【請求項４７】
予充填注射器と共に用いられることを特徴とする請求項４２から請求項４８のいずれか１項に記載のガイド。
【請求項４８】
前記針は、取外し不能であることを特徴とする請求項１９から請求項４７のいずれか１項に記載の再使用不能注射器。
【請求項４９】
前記針は、前記注射器の一体部分であることを特徴とする請求項１９から請求項４７のいずれか１項に記載の再使用不能注射器。
【請求項５０】
実質的に本明細書で説明されて示されたような請求項１９に記載の装置。
【請求項５１】
実質的に請求項１９から請求項５１に説明されて示されたような新たな装置。
【請求項５２】
請求項１９から請求項５１のいずれか１項に記載の再使用不能注射器のためのプランジャ。
【請求項５３】
実質的に本明細書で説明されたような請求項１及び請求項１９のいずれか１項に記載の装置。
【請求項５４】
実質的に本明細書で説明されて示されたような新たな装置。
【発明の詳細な説明】
【技術分野】
【０００１】
本発明は、安全注射器の分野に関し、具体的には、針刺し事故を防ぎ、永久に再使用不能にされた安全注射器に関する。
【背景技術】
【０００２】
「ヒト免疫不全ウィルス」及び他の血液感染症に感染する危険性が益々高まってくると、医療従事者及び患者の露出を最小限にし、信頼性があって使用が簡単な費用効果の高い安全注射器の必要性が生じる。多くの提案がこの分野で為されてきた。しかし、これらは、一般的に、操作するのに医療従事者が両手を必要とする、及び／又は、製作費用が高いなどの不都合がある。貧困な第三世界諸国において医療費用が掛かることは、多くの場合に適正な殺菌をしないまま、使い捨て医療装置を再利用する結果をもたらしてきた。これらの国での「ＨＩＶ」及び関連疾病の罹患率の高さを考慮すると、この状況は容認できないものである。患者教育は、多くの場合に最適とは言えず、知識のない患者ほど再利用の機器を受け入れる傾向が高い。注射器を再使用不能にするのに利用可能な機構は高価なことが分っており、いくつかの注射器は、決意したユーザによって再使用可能にさえされる。
【発明の開示】
【課題を解決するための手段】
【０００３】
本発明は、注射器の外筒に装着されるか又は外筒の一体成形部分であるガイド、及び、ガイドに沿って摺動するように構成された第１の部分と尖った針先をその内部に覆うことを容易にする針のための構造を有する第２の部分とを有する摺動可能部材を含む注射針のための安全装置を提供する。
ガイドは、近位端及び遠位端を有する。近位端は、摺動可能部材の第１の部分が近位端でガイドから外れることを防ぐ末端ブロックと、摺動可能部材の第１の部分との連結を考慮した斜角セグメントと、摺動可能部材が前進して針先に係合する前の第１の部分の一時的な配置を容易にする面取りセグメントとによって形成される。ガイドの遠位端は、整列した鋸歯セグメントによって形成され、このセグメントは、使用中に摺動可能部材の第１の部分上の補完的セグメントに係合し、それによって摺動可能部材を引き込み不能位置に固定し、針を第２の部分内に封入する。
【０００４】
摺動可能部材の第１の部分は、ブラケット及びシャフトから成る。ブラケットは、ガイドの斜角セグメント上へスナップ・クリック式に留まるように構成される。摺動可能部材の第２の部分は、針用のカップ又はキャップ形状の構造か、又はその針を覆うための閉鎖セグメントを有する針用の偏心開口の形態とすることができる。摺動可能部材の第１の部分は、弾力的に変形可能であり、例えば注射器外筒から離れるように付勢させることができ、従って、キャップが針の端部から滑り落ちるまで摺動可能部材が針に向って前進すると、針用に設けられた開口又は構造が針先から離れるように傾斜しているので、針先は、それによってキャップ内に覆われる。
本発明者は、安全注射器が針先を安全にするのに片方の手のみを必要とし、それによって医療従事者が他方の手を患者の介護に利用し、他方の手を針先から離しておくことを可能にすると考えている。
【０００５】
本発明の別の態様は、注射器を再使用不能にするための手段であり、１つ又はそれ以上のフォロアを有する第１の部分と、フォロアを受けて誘導するためのガイドを収納する第２の部分とを有するプランジャから成る。密封プラグは、プランジャの端部に装着されるか、又はプランジャの第２の部分と共に単一ユニットを形成することができる。プランジャの第２の部分は、それ自体、ガイドを収納する第１の部分と、密封プラグと連結する手段として作用する第２の部分との２つの部分を含むことができる。
【０００６】
ガイドは、１つの頂点を有する少なくとも２つの脚部から成ることができるが、Ｚ形又はＭ形も可能である。
Ｍ形に導かれたガイドは、第１、第２、第３、及び第４の脚部を含むことができ、第１及び第２の脚部の間に第１の頂点、第２と第３の脚部の間に第２の頂点、及び、第３及び第４の脚部の間に第３の頂点を有する。
第１、第２、及び第３の頂点で、ガイド内のフォロアの一方向進路を保証するための手段が提供される。この手段は、先行する脚部内への再入を防ぐ段の付いた傾斜を有する圧縮可能成形突出部の形をとることができる。プランジャが注射器内で前に押し出されると、Ｍ型ガイドの第１の脚部がフォロアを受ける。第１の脚部は、注射器へ流体を引き込むのに必要な位置へ注射器を準備するために使用することができ、又は、別の瓶にある量の空気を注入するのに使用することができる。フォロアは、ガイド内で組み立てられ、プランジャは、注射器が使用される前に外筒の開口部へ挿入されるのが望ましい。フォロアが第１の脚部に沿って前に押し出された状態で、Ｍ型ガイドの第１の頂点は、Ｍ型ガイドの第２の脚部に向う経路を促すように構成されている。
【０００７】
プランジャが注射器の針先から引き離されると、Ｍ型ガイドの第２の脚部がフォロアを誘導する。この作用は、注射器に薬液や体液などを充填することに対応することになる。
第２の頂点は、Ｍ型ガイドの第３の脚部に向う経路を促すように構成される。プランジャが注射器の針先へ押されると、Ｍ型ガイドの第３の脚部がフォロアを受ける。この作用は、患者へ内容物を投与するか、又は、血液又は流体サンプルを適正な容器に入れることに対応する。第３の頂点は、注射器を再利用するか、又は注射器外筒からプランジャを取り外そうとする場合、次にＭ型ガイドの第４の脚部へ向う進路を促す。プランジャが注射器の針先から引き戻されると、Ｍ型ガイドの第４の脚部がフォロアを受ける。この第４の脚部は、プランジャの第２の部分の外部に連通し、これによりフォロアは、Ｍ型ガイドから摺動して出ることができ、プランジャの第１の部分をプランジャの第２の部分から外し、従って第２の部分とプランジャとが注射器の針先に残ることができる。針は、注射器と共に予め製造して取外し不能にすることができる。
【０００８】
Ｚ型ガイドは、第１、第２、及び第３の脚部を含むことができ、第１及び第２の脚部の間に第１の頂点、及び、第２及び第３の脚部の間に第２の頂点を有する。この場合、注射器は、通常は注射器外筒の中に完全に挿入されたプランジャを有して使用可能な状態であろう。第１及び第２の頂点は、フォロアの一方向進路を促す手段を有することができる。この手段は、先行脚部内への再入を防ぐ段の付いた傾斜を有する圧縮可能成形突出部の形をとることができる。
【０００９】
プランジャが注射器の針先から引き離されると、Ｚ型の第１の脚部がフォロアを受ける。第１の頂点は、Ｚ型の第２の脚部へ向う経路を促すように構成される。プランジャが注射器の針先へ押されると、Ｚ型の第２の脚部がフォロアを受ける。第２の頂点へ着くと、Ｚ型の第３の脚部へ向う経路が促される。プランジャが注射器の針先から引き戻されると、Ｚ型の第３の脚部がフォロアを受け、このＺ型の第３の脚部は、次にプランジャの外部と連通し、そうすることにより、フォロアは、Ｚ型ガイドから摺動して出ることができ、これによってプランジャの第１の部分をプランジャの第２の部分から外し、注射器の針先に第２の部分を残す。針は、注射器と共に予め製造して取外し不能にすることができる。
【００１０】
Ｖ型ガイドは、第１及び第２の脚部を含み、第１及び第２の脚部の間に頂点を有する。フォロアの一方向進路を促す手段は、頂点内に位置することができ、先行脚部内への再入を防ぐ段の付いた傾斜を有する圧縮可能成形突出部の形をとることができる。
プランジャが注射器の針先へ押されると、Ｖ型の第１の脚部がフォロアを受ける。フォロアが頂点に着くと、フォロアをＶ型の第２の脚部に向う経路を辿るように促すことができる。プランジャが注射器の針先から引き離されると、Ｖ型の第２の脚部がフォロアを受ける。
【００１１】
Ｖ型のこの第２の脚部は、プランジャの外部と連通し、そうすることにより、フォロアがＶ型ガイドから摺動して出ることができ、これによってプランジャの第１の部分をプランジャの第２の部分から外し、注射器の針先に第２の部分を残す。
Ｖ型ガイドを有する再使用不能の注射器は、予充填注射器とすることができ、及び／又は、その針は、注射器の予め製造された部分とすることができる。
本発明は、図を参照しながら非限定的実施例によって更に完全に説明される。
【発明を実施するための最良の形態】
【００１２】
図１から図７に示すように、注射針１２の安全装置１０は、注射器１８の外筒１６に成形されるか又は外筒１６の一体型成形部品であるガイド１４、及び、ガイド１４に沿って摺動するように構成された第１の部分２２と尖った針先１３を内部に覆うことを容易にする針１２のための構造２６を有する第２の部分２４とを有する摺動可能部材２０を含む。
ガイド１４は、近位端及び遠位端を有する。近位端は、摺動可能部材の第１の部分２２が近位端でガイド１４から外れることを防ぐ末端ブロック２８と、摺動可能部材の第１の部分２２と連結することができる斜角セグメント３０と、摺動可能部材２０が針先１３に係合するように前へ押される前に、第１の部分２２の一時的な配置を容易にする面取りセグメント３２とによって形成される。ガイド１４の遠位端は、整列した鋸歯セグメント３４によって形成されるが、鋸歯は、使用中に摺動可能部材２０の第１の部分２２上の補完的セグメント３６に係合し、それによって摺動可能部材２０を引き込み不能位置へ固定し、針のための構造２６によって針先１３を覆う。
【００１３】
摺動可能部材２０の第１の部分２２は、ブラケット２３及びシャフト２５から成る。ブラケット２３は、ガイド１４の斜角セグメント３０上にスナップ・クリック式に留まるように構成される。
摺動可能部材２０の第２の部分２４は、カップ形３８又はキャップ４０の形態の針先１３のための構造２６を有する。構造２６は、針先１３を覆うための閉鎖セグメント４４を有する上述の針先１３のための偏心開口４２を有する。針１２は、構造２６の開口４２を貫通し、それにより、摺動可能部材２０のブラケット２３が面取りセグメント３２上に配置された時、構造２６が針の基部１５にあることになる。摺動可能部材２０の第１の部分２２は、弾力的に変形可能で、注射器１８の外筒１６から離れるように付勢することができ、従って、摺動可能部材２０が針１２の方へ前に押されてキャップ４０が針先１３の端部から外れると、針１２のためにもたらされた開口４２又は構造２６が針先１３から離れる方向に傾斜しているので、針先は、従ってキャップ４０によって覆われる（図７〔ａ〕及び〔ｂ〕参照）。
安全注射器の摺動可能部材は、針先を安全にするのに片手のみを使用することを可能にし、これにより医療従事者が他方の手を患者の介護に使用し、その他方の手を針先から離しておくことを可能にする。
【００１４】
本発明の別の態様によると、図８から図１１に示すように、再使用不能注射器５０は、可撓性フラップ５７上のニップルの形態の１つ又はそれ以上のフォロア５６を有する第１の部分５４と、フォロア５６を受けて誘導するためのガイド６０を収納する第２の部分５８とを備えたプランジャ５２を有する。
密封プラグ６２は、プランジャ５２の端部に装着されるか、又はプランジャ５２の第２の部分５８と共に単一ユニットを形成することができる。プランジャ５２の第２の部分５８は、それ自体、２つの部分を含むことができ、第１の部分６４はガイド６０を収納し、第２の部分６６は、密封プラグ６２を連結するための手段として機能する。
【００１５】
ガイド６０は、１つの頂点を有する少なくとも２つの脚部から成ることができるが（すなわち、Ｖ型）、しかし、Ｚ型又はＭ型も可能である。
Ｍ型ガイド６８は、第１の脚部７０、第２の脚部７２、第３の脚部７４、及び第４の脚部７６を含むことができ、第１の脚部７０と第２の脚部７２との間に第１の頂点７８、第２の脚部７２と第３の脚部７４との間に第２の頂点８０、及び第３の脚部７４と第４の脚部７６との間に第３の頂点８２を有する。
【００１６】
第１の頂点７８、第２の頂点８０、及び第３の頂点８２において、ガイド内でフォロアが一方向進路を保証するための手段８４が提供される。この手段は、先行脚部への再入を防ぐ段の付いた傾斜を有する圧縮可能成形突出部８６の形態とすることができる。プランジャ５２が注射器５０内で前に押されると、Ｍ型の第１の脚部７０がフォロア５６を受ける。第１の脚部７０は、注射器５０内に流体を入れるのに必要な位置に注射器５０を準備するのに使用することができ、又は、別の瓶にある量の空気を注入するのに使用することができる。フォロア５６は、ガイド６０内で組み立てられ、プランジャ５２は、注射器５０が使用される前に外筒開口部５３の中へ挿入されるのが好ましい。フォロア５６が第１の脚部７０に沿って前に押された状態で、Ｍ型ガイド６８の第１の頂点７８は、Ｍ型ガイド６８の第２の脚部７２に向う経路を促すように構成される。
プランジャ５２が注射器５０の針先５１から引き離されると、Ｍ型ガイド６８の第２の脚部７２がフォロア５６を誘導する。この作用は、注射器を薬液や体液などで充填することに対応することになる。
【００１７】
第２の頂点８０は、Ｍ型ガイド６８の第３の脚部７４に向う経路を促すように構成される。プランジャ５２が注射器５０の針先５１へ押されると、Ｍ型ガイド６８の第３の脚部７４がフォロア５６を受ける。この作用は、患者へ内容物を投与するか、又は血液や流体サンプルを適正な容器に入れることに対応する。第３の頂点８２は、次に、注射器５０を再利用しようとするか又は注射器５０の外筒からプランジャ５２を取り外そうとする場合に、Ｍ型ガイド６８の第４の脚部７６に向う経路を促す。プランジャ５２が注射器５０の針先５１から引き戻されると、Ｍ型ガイド６８の第４の脚部７６がフォロア５６を受ける。この第４の脚部７６は、プランジャ５２の第２の部分５８の外部８８に連通し、これによりフォロア５６がＭ型ガイド６８から摺動して出ることができ、それによってプランジャ５２の第１の部分５４を第２の部分５８から外し、従って第２の部分５８とプランジャ５２とが注射器５０の針先５１に残る。
針は、注射器の予め製造された部分とすることができる。
【図面の簡単な説明】
【００１８】
【図１】安全装置及び注射器の図である。
【図２】ガイドの拡大図である。
【図３】安全装置の摺動可能部材の拡大図である。
【図４】安全装置の摺動可能部材の拡大図である。
【図５】針のための構造の拡大図である。
【図６】針のための構造の拡大図である。
【図７ａ】使用中の安全注射器を示す図である。
【図７ｂ】使用中の安全注射器を示す図である。
【図８】再使用不能注射器のプランジャの図である。
【図９】ガイドの拡大図である。
【図１０】頂点内の突出部の図である。
【図１１】(a)〜(e)は、使用中の注射器を示す図である。
【図１２】組合された再使用不能の安全注射器を示す図である。
【符号の説明】
【００１９】
１０  安全装置
１２  針
１３  針先
１４  ガイド
１５  針の基部
１６  外筒
１８  注射器
２０  摺動可能部材
２２  摺動可能部材の第１の部分
２３  ブラケット
２４  摺動可能部材の第２の部分
２５  シャフト
２６  構造
２８  末端ブロック
３０  斜角セグメント
３２  面取りセグメント
３４  ガイドの鋸歯
３６  摺動可能部材の鋸歯
３８  カップ型構造
４０  キャップ型構造
４２  偏心開口
４４  閉鎖セグメント
５０  再使用不能注射器
５１  注射器の針先
５２  プランジャ
５３  外筒開口部
５４  プランジャの第１の部分
５６  フォロア
５７  ニップルを有する可撓性フラップ
５８  プランジャの第２の部分
６０  ガイド
６２  密封プラグ
６４  第２の部分の第１の部分
６６  第２の部分の第２の部分
６８  Ｍ型ガイド
７０  第１の脚部
７２  第２の脚部
７４  第３の脚部
７６  第４の脚部
７８  第１の頂点
８０  第２の頂点
８２  第３の頂点
８４  一方向流れ手段
８６  突出部
８８  連通点
【国際公開パンフレット】
2005501665.tif 000003
2005501665.tif 000004
2005501665.tif 000005
2005501665.tif 000006
2005501665.tif 000007
2005501665.tif 000008
2005501665.tif 000009
2005501665.tif 000010
2005501665.tif 000011
2005501665.tif 000012
2005501665.tif 000013
2005501665.tif 000014
2005501665.tif 000015
2005501665.tif 000016
2005501665.tif 000017
2005501665.tif 000018
2005501665.tif 000019
2005501665.tif 000020
2005501665.tif 000021
2005501665.tif 000022
2005501665.tif 000023
2005501665.tif 000024
2005501665.tif 000025
2005501665.tif 000026
2005501665.tif 000027
2005501665.tif 000028
2005501665.tif 000029
【国際公開パンフレット（コレクトバージョン）】
2005501665.tif 000030
【国際公開パンフレット（コレクトバージョン）】
2005501665.tif 000031
【国際調査報告】
2005501665.tif 000032
2005501665.tif 000033
2005501665.tif 000034
2005501665.tif 000035
2005501665.tif 000036